(57)【要約】      （修正有）【課題】落下せず、干し場所に限定されず、電気代があまり掛からず、移動が容易な、魚類や洗濯小物類を干せる干し具を提供する。【解決手段】ソ−ラ−パネル４に接続された充電式電池１より、三脚２０に回動自在に設けた自転車ホイル３をモータ付ギヤーボックス１０でバランス良く円滑に回転させて、自転車ホイルに干し吊り金具１４で吊した魚類や洗濯小物類を回転させて乾かす事を特徴とする干し具、干し回る君。【選択図】図１
2009233297.tif 000002
【特許請求の範囲】
【請求項１】
図１の１、充電式電池をソ−ラ−パネルに取り付け  ２、配線を設ける  ３、自転車ホイルを三脚ベ−スに取り付け  ４、ソ−ラ−パネルを設け車輪上部軸に取り付ける  ５、菊ワッシャ付蝶ネジを設ける  ６、車輪軸に  ７、固定ア−ムの下にプラスチックワッシャを設け接着固定して、下に菊ワッシャ上に菊ワッシャ付蝶ネジで取り付ける、  ８、ジョイント左右の振れを押えて上下に移動する  ９、上下自由ア−ムを設ける、  １０、モ−タ−付ギャ−ボックスを上下自由ア−ムに取り付ける  １１、起動スイッチを設け  １２、コイルの設定電圧に達するとランプが点灯することとなる、充電満量ランプを設ける、  １３、タイヤをア−ム先端部ギヤ−ボックスに取り付け、１４、干し吊り金具をホイル下リ−ムに穴を開けフック又は洗濯ハサミを吊り下げる、  １５、上輪押えナット  １６、ベアリング上下軸に  １７、下軸押えナット  １８、三脚ベ−ス上下にプラスチックワッシャを設け接着固定する  １９、三脚上に菊ワッシャ下に菊ワッシャ付蝶ネジで取り付ける  ２０、三脚  ２１、伸長補助ポ−ル等により構成される事を特徴とする。  干し回る君
【請求項２】
図２の２３、落下保護ネット  ２２、洗濯ハサミの押え噛み皿中央部に穴がなく肉が切れて落下した、穴を開けた事で同じバネの力で中央部に肉が食い込む事で落下が少なくなった、  ２３、落下保護ネットをテングスで作製外周にもテングスを引き出す事で全体に日光がテングスに当たり光をはっする、並びに網が足に絡む恐れがあり警戒心の強いカラス、カモメが近寄らない等、干し魚を守り落下も防ぐ特徴とする。  干し回る君
【請求項３】
図１、１８三脚ベ−スに自転車ホイルを下部軸に取付け固定する、固定ア−ムに左右２個ジョイントを取り付ける、９、上下自由ア−ム２個を設け、１０、モ−タ−付ギヤ−ボックス２個  １３、タイヤ２個を設け、直線状に左右１個ずつ設ける事により、バランス良く円滑に回転する事となる。  干し回る君
【発明の詳細な説明】
【技術分野】
【０００１】    本発明は、乾燥機に関するもので、太陽光発電を利用し充電式電池に充電する。三脚ベ−スに自転車ホイル下部軸を取り付け固定する、上部軸に固定ア−ムを取り付ける、ジョイントを設け左右の振れを押える上下自由ア−ムにモ−タ−付きギヤ−ボックスを先端部に取り付けタイヤを設ける、自転車ホイルに干し吊り金具を下げ魚類、洗濯下着類を回し干しものである。
【背景技術】
【０００２】    従来技術の第１例は玩具メリ−ゴ−ランドに似た装置に鉄製リングに洗濯ハサミで魚類をはさみ吊り下げ回して干し装置である。、
第２例は鉄製の架台の上に減速機付きモ−タ−１００Ｖを据え付け架台にポ−ルを立て鉄製リングの軸を回していた、又リング外周に洗濯ハサミで吊り下げ魚類を回して干し装置である。
【発明の開示】
【発明が解決しようとする課題】
【０００３】    しかし従来のような装置、第１例は玩具メリ−ゴウランドに似た装置に鉄製リングを下げ、リングに洗濯ハサミで魚類をはさみ、吊り下げて回して干し装置
第２例は鉄製の架台の上に減速機付きモ−タ−１００Ｖを据え付け、架台にポ−ルを立て鉄製リングの軸を回していた、又リング外周に洗濯ハサミで吊り下げ魚類を回して干していた場合、１．生魚は肉が柔らかいので地べたに落下した２．干す場所に限定された、３．重いため移動に苦労した、４．電気代が掛る５、洗濯小物下着類を干し考えがなかった不都合を解決する事を課題とする。
【課題を解決するための手段】
【０００４】    この課題を解決するため請求項１の発明は１の充電式電池をソ−ラ−パネルに取り付け、５の菊ワッシャ付蝶ネジを設け６の車輪軸を設ける７の固定ア−ムの下にプラスチックワッシヤを設け接着固定し、下に菊ワッシヤ、又はセットピン、上に菊ワッシャ付蝶ネジで取り付ける。８のジョイント左右の振れを押えて上下に移動する事で、タイヤと車輪を円滑に回転する事ができる。９の上下自由ア−ムを設け１０のモ−タ−付ギヤ−ボックスを上下自由ア−ムに取付ける。
１１の起動スイッチを設け、１２の充電満量ランプを設けコイルの設定電圧に達するとランプが点灯する、１３のタイヤをア−ム先端部ギヤ−ボックスに取り付ける、１４の干し吊り金具ホイル下リ−ムに穴を開けフック又は洗濯ハサミを吊り下げる、１５の上輪押えナット１６のベアリング上下軸に設け１７の下軸押えナット１８の三脚ベ−ス上下にプラスチックワッシャを設け接着固定する。
１９の三脚上に菊ワッシャ又はセットピンを入れ、下に菊ワッシャ付き蝶ネジで取り付ける２０の三脚２１の伸長補助ポ−ルを設ける。【０００５】    請求項２の発明は２３の落下保護ネット２２の洗濯ハサミの押え噛み皿中央部に穴がないため、肉が切れて落下したので、噛み皿中央に穴を開けた事で同じバネの力でも中央部に肉が食い込み落下する事が少なくなった。
２３の落下保護ネットをテングスで作製し外周にもテングスを引き出す事で、全体に日光の光が反射しカラス等が警戒し、又、ネットに足が絡む恐れがあり警戒心の強いカラス、カモメ等が近寄らないので干し魚を守る事が出来、並びに落下も防ぐなど日光を吸収し美味しい干し魚が出来る、洗濯小物下着類等は短時間で乾燥する効果がある。【０００６】    図１、１８三脚ベ−スに自転車ホイルを下部軸に取り付け固定する、固定ア−ムに左右２個ジョイントを取り付ける、９、上下自由ア−ム２個を設け１０、モ−タ−付ギヤ−ボックス２個、とタイヤ２個を設け、直線状に左右１個ずつ設ける事によりバランス良く円滑に回転する事となる。干し回る君
【発明の効果】
【０００７】  従来は、Ａ、リング軸を回しており、電力の負荷が掛った、しかし本案は車輪外周を回す事で小さい太陽光発電パネルでも回す事が出来た、Ｂ、洗濯ハサミの押え噛み皿中央部に穴がなく肉が切れて落下した、本案は噛み皿中央部に穴を開けた事で同じバネの力でも中央部に肉が食い込む事で落下が少なくなった、Ｃ、保護ネットをテングスで作製し外周にもテングスを引き出す事で、全体に日光の光がテングスに反射し光を発し、又、網が足に絡む恐れが有り警戒心の強いカラス、カモメ等が近寄らない等、保護ネットにより干し魚を守り、落下する事も防ぐ事が出来、日光を吸収し美味しい魚ができる、洗濯小物下着類等は短時間で乾燥する効果がある。
【発明を実施するための最良の形態】
【０００８】  図１は、１、充電式電池をソ−ラ−パネルに取り付け５、菊ワッシャ付蝶ネジを設ける６、車輪軸を設ける７、固定ア−ムの下にプラスチックワッシャを設け接着固定し、下に菊ワッシャ又はセットピン、上に菊ワッシャ付蝶ネジで取り付ける、８、ジョイント左右の振れを押えて上下に移動する事でタイヤと車輪を円滑に回転する事が出来る９、上下自由ア−ムを設け１０、モ−タ−付ギヤ−ボックスを上下自由ア−ムに取り付ける１１、起動スイッチを設け１２、コイルの設定電圧に達するとランプが点灯する、充電満量ランプを設ける１３、タイヤをア−ム先端部ギヤ−ボックスに取り付け１４、干し吊り金具をホイル下リ−ムに穴を開けフック又は洗濯ハサミを吊り下げる、１５，上輪押えナット１６、ベアリング上下軸に設け１７、下軸押えナット１８三脚ベ−ス上下にプラスチックワッシャを設け接着固定する１９、三脚上菊ワッシャ又はセットピンを入れて下に菊ワッシャ付蝶ネジで取付ける２０、三脚２１、伸長補助ポ−ルなどにより構成される事を特徴とする。【０００９】    図１、１８三脚ベ−スに自転車ホイルを下部軸に取り付け固定する固定ア−ムに左右２個ジョイントを取り付ける９、上下自由ア−ム２個設け１０、モ−タ−付ギヤ−ボックス２個１３、タイヤ２個を設け直線状に左右１個じつ設ける事により、バランス良く円滑に回転する事となる。  干し回る君【００１０】    図２は、落下保護ネット２２、洗濯ハサミに押え噛み皿中央部に穴がなく肉が切れて落下した、穴を開けた事で同じバネの力で中央部に肉が食い込む事で落下が少なくなった、２３、落下保護ネットをテングスで作製、外周にもテングスを引き出す事で全体に日光がテングスに当たり光を発する、並びに網に足を絡む恐れが有り警戒心が強いカラス、カモメが近寄らない、カラス、カモメから干し魚を守り落下も防ぐ特徴とする。
【産業上の利用可能性】
【００１１】本発明に係る干し回る君は、工業的に量産する事が可能であるため産業上の利用可能性を有する。
【図面の簡単な説明】
【００１２】
【図１】干し回る君の断面図である。
【図２】一部に平面を設けた洗濯ハサミ、落下保護ネットの断面図である。
【符号の説明】
【００１３】  １．充電式電池                      １３．タイヤ
２．配線                            １４．干し吊り金具
３．自転車ホイル                    １５．上下軸押えナット
４．ソ−ラ−パネル                  １６．ベアリング
５．菊ワッシャ付蝶ネジ              １７．ベアリング押えナット
６．車輪軸                          １８．三脚ベ−ス
７．固定ア−ム                      １９．菊ワッシャ付蝶ネジ
８．ジョイント                      ２０．三脚
９．上下自由ア−ム                  ２１．伸長補助ポ−ル
１０．モ−タ−付ギヤ−ボックス        ２２．ハサミ
１１．起動スイッチ                    ２３．落下保護ネット
１２．充電満量ランプ
【図１】
2009233297.tif 000003
【図２】
2009233297.tif 000004